(57)【要約】【課題】集合住宅型遠隔見守りシステムにおいて、個人の限界を越えて緊急時対処ができ、委託費や駆け付け時間を低減できるるとともに、地域と個人の安全性を同時に高められるものとする。【解決手段】集合住宅型遠隔見守りシステム１は、個人宅内と共有スペースの所定領域をカメラ２１で撮影した画像をインターネット７を介して送信する宅内装置２と、インターネット７を介して宅内装置２から画像を受信し、その画像をインターネット７を介してユーザ端末３に送信するサーバ装置４と、ユーザがユーザ端末３を操作して閲覧した画像から緊急事態を判断して発動するヘルプコールをインターネット７及びサーバ装置４を介して受信して表示部９ａに表示する管理端末９を備えている。ヘルプコールコマンドを発動すると、予め設定されたユーザ端末にヘルプ依頼送信が行われ、管理端末９の表示部９ａにブリンク文字と警報音によりヘルプコールが表示される。【選択図】図１
2006039778.tif 000002
【特許請求の範囲】
【請求項１】
個人宅内及び共有スペースの所定領域をカメラを用いて撮影した画像をインターネットを介して送信する複数の宅内装置と、インターネットに接続されインターネットを介して前記宅内装置から画像を受信するとともに、その画像をインターネットを介してブラウザ機能付きの複数のユーザ端末に送信するサーバ装置と、を備えた集合住宅型遠隔見守りシステムであって、
前記ユーザ端末からのヘルプコールをインターネット及び前記サーバ装置を介して受信して表示部に表示する機能を有する管理端末を備え、
前記宅内装置は、前記サーバ装置から送信されるカメラ撮影動作その他の動作を含む制御用のコマンドを受信してそのコマンドを実行し、少なくとも、前記サーバ装置を経由して送信される前記ユーザ端末からの指示による随時撮影（リモート撮影という）、宅内に配置されたセンサの反応による撮影（センサ反応撮影という）、及び予約設定による撮影（予約撮影という）のいずれかの撮影を行い、
前記サーバ装置は、複数の宅内装置及びユーザ端末を識別して画像データを含むデータの管理とコマンドの管理を行い、ユーザがユーザ端末のブラウザ画面を操作して閲覧した画像から緊急事態を判断して発動する警報発声コマンド又はヘルプコールコマンドをユーザ端末から受信するとこれらのコマンドを他のコマンドに優先して処理し、
警報発声コマンドの場合、当該コマンドを発したユーザ端末に帰属する宅内装置に一定時間の警報発声を行わせ、ヘルプコールコマンドの場合、予め設定されたヘルプコール対象とされるユーザ端末にヘルプ依頼送信を行うとともに前記管理端末にヘルプコール発動の通知を行い、
前記管理端末は、ヘルプコール発動の通知を受信するとヘルプコールの発生をブリンク文字と警報音により表示部に表示し、当該管理端末を管理する管理人によるヘルプコール解除により文字のブリンクと警報音を停止するとともに、発動されたヘルプコールの内容をデータベースに保存することを特徴とする集合住宅型遠隔見守りシステム。
【請求項２】
個人宅内及び共有スペースの所定領域をカメラを用いて撮影した画像をインターネットを介して送信する複数の宅内装置と、インターネットに接続されインターネットを介して前記宅内装置から画像を受信するとともに、その画像をインターネットを介してユーザ端末に送信するサーバ装置と、を備えた集合住宅型遠隔見守りシステムであって、
前記ユーザ端末からのヘルプコールをインターネット及び前記サーバ装置を介して受信して表示部に表示する機能を有する管理端末を備え、
前記宅内装置は、前記サーバ装置から送信されるカメラ撮影動作その他の動作を含む制御用のコマンドを受信してそのコマンドを実行し、
前記サーバ装置は、複数の宅内装置及びユーザ端末を識別して画像データを含むデータの管理とコマンドの管理を行い、ユーザがユーザ端末を用いて閲覧した画像から緊急事態を判断して発動する警報発声コマンド又はヘルプコールコマンドをユーザ端末から受信すると、これらのコマンドを他のコマンドに優先して処理し、警報発声コマンドの場合、当該コマンドを発したユーザ端末に帰属する宅内装置に一定時間の警報発声を行わせ、ヘルプコールコマンドの場合、当該コマンドを発したユーザ端末以外のユーザ端末にヘルプ依頼送信を行うとともに、前記管理端末にヘルプコール発動の通知を行うことを特徴とする集合住宅型遠隔見守りシステム。
【請求項３】
前記サーバ装置は、ヘルプコールコマンドの処理に際し、予め設定されたヘルプコール対象とされるユーザ端末のみにヘルプ依頼送信を行うことを特徴とする請求項２に記載の集合住宅型遠隔見守りシステム。
【発明の詳細な説明】
【技術分野】
【０００１】
本発明は、インターネットを利用した遠隔見守りシステムに関し、特に集合住宅型遠隔見守りシステムに関する。
【背景技術】
【０００２】
従来、宅内を遠隔から監視したり見守りしたりするシステムとして、既存のネットワーク回線を用いて不法侵入者に対して警察への通報などの対応を迅速にするとともに、携帯電話などを利用することができるシステムが知られている（例えば、特許文献１参照）。また、侵入者が侵入したか否かを遠隔から低コストで確認できるとともに、遠隔から侵入者等に対して警報を発することができるシステムが知られている（例えば、特許文献２参照）。
【特許文献１】特開２００４−５２９４号公報
【特許文献２】特開２００２−１０３６９号公報
【発明の開示】
【発明が解決しようとする課題】
【０００３】
しかしながら、上述したような監視や見守りシステムにおいては、異常事態への対処方法として、警察などの外部機関に通報するか、せいぜい近隣の住人に連絡することしか想定されておらず、緊急事態に対する時間的遅れが発生したり、不完全な対応しかできない問題がある。従来、遠隔通信可能なサーバクライアントシステムを宅内の見守りに用いる場合、使用者自らが異常事態に対処する個人完結型システムや、使用者自らは対処せずに異常通報を遠隔地の本人及び外部の委託会社（例えば、警備保障会社等）に通報する委託型システムの形態が殆どである。個人完結型システムでは、個人の力に限界があり、また、委託型システムでは現場駆け付けに時間を要したり、委託費がかさむという問題がある。
【０００４】
本発明は、上記課題を解消するものであって、個人の限界を越えて異常時対処ができ、委託費や駆け付け時間を低減できるとともに、地域と個人の安全性を同時に高められる集合住宅型遠隔見守りシステムを提供することを目的とする。
【課題を解決するための手段】
【０００５】
上記課題を達成するために、請求項１の発明は、個人宅内及び共有スペースの所定領域をカメラを用いて撮影した画像をインターネットを介して送信する複数の宅内装置と、インターネットに接続されインターネットを介して前記宅内装置から画像を受信するとともに、その画像をインターネットを介してブラウザ機能付きの複数のユーザ端末に送信するサーバ装置と、を備えた集合住宅型遠隔見守りシステムであって、前記ユーザ端末からのヘルプコールをインターネット及び前記サーバ装置を介して受信して表示部に表示する機能を有する管理端末を備え、前記宅内装置は、前記サーバ装置から送信されるカメラ撮影動作その他の動作を含む制御用のコマンドを受信してそのコマンドを実行し、少なくとも、前記サーバ装置を経由して送信される前記ユーザ端末からの指示による随時撮影（リモート撮影という）、宅内に配置されたセンサの反応による撮影（センサ反応撮影という）、及び予約設定による撮影（予約撮影という）のいずれかの撮影を行い、前記サーバ装置は、複数の宅内装置及びユーザ端末を識別して画像データを含むデータの管理とコマンドの管理を行い、ユーザがユーザ端末のブラウザ画面を操作して閲覧した画像から緊急事態を判断して発動する警報発声コマンド又はヘルプコールコマンドをユーザ端末から受信するとこれらのコマンドを他のコマンドに優先して処理し、警報発声コマンドの場合、当該コマンドを発したユーザ端末に帰属する宅内装置に一定時間の警報発声を行わせ、ヘルプコールコマンドの場合、予め設定されたヘルプコール対象とされるユーザ端末にヘルプ依頼送信を行うとともに前記管理端末にヘルプコール発動の通知を行い、前記管理端末は、ヘルプコール発動の通知を受信するとヘルプコールの発生をブリンク文字と警報音により表示部に表示し、当該管理端末を管理する管理人によるヘルプコール解除により文字のブリンクと警報音を停止するとともに、発動されたヘルプコールの内容をデータベースに保存するものである。
【０００６】
請求項２の発明は、個人宅内及び共有スペースの所定領域をカメラを用いて撮影した画像をインターネットを介して送信する複数の宅内装置と、インターネットに接続されインターネットを介して前記宅内装置から画像を受信するとともに、その画像をインターネットを介してユーザ端末に送信するサーバ装置と、を備えた集合住宅型遠隔見守りシステムであって、前記ユーザ端末からのヘルプコールをインターネット及び前記サーバ装置を介して受信して表示部に表示する機能を有する管理端末を備え、前記宅内装置は、前記サーバ装置から送信されるカメラ撮影動作その他の動作を含む制御用のコマンドを受信してそのコマンドを実行し、前記サーバ装置は、複数の宅内装置及びユーザ端末を識別して画像データを含むデータの管理とコマンドの管理を行い、ユーザがユーザ端末を用いて閲覧した画像から緊急事態を判断して発動する警報発声コマンド又はヘルプコールコマンドをユーザ端末から受信すると、これらのコマンドを他のコマンドに優先して処理し、警報発声コマンドの場合、当該コマンドを発したユーザ端末に帰属する宅内装置に一定時間の警報発声を行わせ、ヘルプコールコマンドの場合、当該コマンドを発したユーザ端末以外のユーザ端末にヘルプ依頼送信を行うとともに、前記管理端末にヘルプコール発動の通知を行うものである。
【０００７】
請求項３の発明は、請求項２に記載の集合住宅型遠隔見守りシステムにおいて、前記サーバ装置は、ヘルプコールコマンドの処理に際し、予め設定されたヘルプコール対象とされるユーザ端末のみにヘルプ依頼送信を行うものである。
【発明の効果】
【０００８】
請求項１の発明によれば、ユーザが自宅及び共有スペースにおける画像を所定の撮影モードで撮影し、これを遠隔地において閲覧することができ、画像中に異常を発見した場合、遠隔地から宅内装置による警報発声が行える他、予め設定されたヘルプコール対象とされるユーザ端末（の所有者）にヘルプ依頼送信を行うとともに管理端末にヘルプコール発動の通知を行うので、個人の限界を越えて異常時対処ができ、委託費や駆け付け時間を低減できるとともに、地域と個人の安全性を同時に高めることができる。個人宅内を撮像し個人で見守りをするだけでなく、集合住宅の特性を生かし、共有スペースの見守りと、近隣住民と集合住宅管理人に対するヘルプコール機能を有する相互に助け合いを行う小集団を機能させることができる。
【０００９】
請求項２の発明によれば、ユーザが自宅及び共有スペースにおける画像を遠隔地において閲覧することができ、画像から緊急事態を判断して、遠隔地から宅内装置による警報発声が行える他、ヘルプコール対象とされるユーザ端末（の所有者）及び管理端末にヘルプコール発動を行うので、個人及び距離の限界を越えて異常時対処ができる。
【００１０】
請求項３の発明によれば、予め設定されたヘルプコール対象とされるユーザ端末のみにヘルプ依頼送信を行うので、プライバシの確保や、効率的な相互依存に基づく遠隔見守りができる。
【発明を実施するための最良の形態】
【００１１】
以下、本発明の一実施形態に係る集合住宅型遠隔見守りシステムについて、図面を参照して説明する。図１は集合住宅型遠隔見守りシステム（以下、本システム）１の全体構成を示す。本システム１は、集合住宅に住むユーザが、ユーザ宅内及び共有スペースの状況を宅外の遠隔地から見守るために宅内の画像を宅外から確認可能とし、ユーザが、画像から宅内における異常を発見したとき、ユーザ同士で構成する小集団の団員である他のユーザにヘルプコールにより異常対処を依頼することを可能とする。
【００１２】
本システム１は、カメラ２１を用いて撮影した宅内の画像をインターネット７を介して送信する宅内装置２と、インターネット７に接続されインターネット７を介して宅内装置２から画像を受信するとともに、その画像をインターネット７を介してブラウザ機能付きのユーザ端末３に送信するサーバ装置４と、ユーザ端末３からのヘルプコールをインターネット７及びサーバ装置４を介して受信して表示部９ａに表示する機能を有する管理端末９と、を備えている。
【００１３】
本システム１は、実運用では多数のユーザの多数の宅内装置２及びユーザ端末３を含み（図示では２ユーザ分と１共有スペース分を示している）、各ユーザはそれぞれに帰属する各宅内装置２からユーザ端末３を用いて画像を得ることができる。宅内装置２、ユーザ端末３、管理端末９、及びサーバ装置４は、それぞれＩＳＰ（インターネットサービスプロバイダ）６を介してインターネット７に接続される。
【００１４】
宅内装置２は、カメラ２１の他に警報発声装置２２や図示しないセンサ等を備えており、一般の家電製品と同様にユーザによって宅内の適宜の位置、例えば子供や老人、ペット等が居る部屋に設置され、サーバ装置４から送信されるカメラ撮影動作、警報発声動作その他の動作を含む制御用のコマンドを受信してそのコマンドを実行する。各ユーザの宅内装置２はルータＲＴを介して複数設置が可能である。また、宅内装置２は、インターネット７に常時接続されるものの他に、電話回線を介してインターネット７にダイヤルアップ接続するものも用いられる。
【００１５】
ユーザ端末３は、遠隔地からの画像を閲覧するための機能、及びヘルプコール発信機能（メール機能）を有していればよく、携帯電話や携帯端末（ＰＤＡ）の他、パソコン３１なども用いられる。宅内から遠隔地の一人住まい親族を見守る場合などは、ユーザ端末３として携帯性の必要はない。また、遠隔地の遠隔とは、単に距離が遠いという場合だけでなく、接近が難しいという場合も含んでいる。
【００１６】
サーバ装置４は、宅内装置２から受信した宅内情報（画像等）をインターネット７及び携帯電話回線８又は電話回線５を介して対応するユーザ端末３に通知し、ユーザ端末３からの要求に応じて画像をユーザ端末３に送信する機能を持つ。サーバ装置４は、ユーザ端末３において設定された遠隔操作コマンドを携帯電話回線８又は電話回線５及びインターネット７を介して受信して、その遠隔操作コマンドをインターネット７及び電話回線５を介して宅内装置２に転送し、また、宅内装置２において撮像された画像を電話回線５及びインターネット７を介して受信して、その画像をインターネット７及び携帯電話回線８又は電話回線５を介して対応するユーザ端末３に転送する。サーバ装置４は、複数の宅内装置２及びユーザ端末３を識別して各宅内装置２とこれに帰属する各ユーザ端末３に関する画像データを含むデータの管理とコマンドの管理を行う。
【００１７】
図２、図３を参照して本システムにおけるヘルプコール機能の概念を説明する。図２は本システム１における小集団と情報や人の動きを示し、図３はヘルプコール発動を含む遠隔見守りの処理フローを示す。この図２に示す「個」は、集合住宅の個人宅を示し、この個人宅には上述の宅内装置２が設置されている。また、「共有スペース」は、集合住宅の会議室やプレイルームであり、これらの共有スペースにも宅内装置２が設けられている。「隣」は、本システム１のユーザの所有するユーザ端末３を示す。図２は、図中の個人宅に帰属するユーザが、遠隔地において宅内又は共有スペースに設けられた宅内装置２からの画像をインターネット経由でユーザ端末３に表示して見ている状況を示す（Ｓ１）。
【００１８】
このとき、遠隔地にいるユーザが、ユーザ端末３に表示された画像内に緊急事態を発見して自宅に直ちに駆けつける必要を感じたとき（Ｓ２でＹｅｓ）、ユーザ端末３からサーバ装置４に対しヘルプコールを発動する（Ｓ３でＹｅｓ、Ｓ４）。すると、サーバ装置４は、管理端末９に対してヘルプコール発動の通知を行うとともに、サーバ装置４に記憶された所定の小集団のユーザに帰属するユーザ端末３に対して駆けつけ場所のデータとともに駆けつけ依頼のメールを配信する。このとき、管理端末９の表示部９ａには、ヘルプコールの発生がブリンク文字と警報音により表示される（Ｓ５）。
【００１９】
駆けつけ依頼のメールを受けた小集団のメンバである隣人（ユーザ）、及び管理端末９を管理している集合住宅の管理人が直ちに、メールで指定された駆けつけ場所に駆けつけて、緊急事態の確認や対処を行う（Ｓ６）。
【００２０】
緊急事態の解消の後、管理端末９を管理する管理人によりヘルプコール解除が行われ、文字のブリンクと警報音が停止されるとともに、発動されたヘルプコールの内容がデータベースに保存される（Ｓ７）。これらのデータは、後述するように統計処理して小集団における安全管理等に利用される。また、画像内に緊急事態を発見せず（Ｓ２でＮｏ）、ヘルプコールの発動をしない場合（Ｓ３でＮｏ）、ヘルプコールを発動しないで画像閲覧を終了する（Ｓ８）。
【００２１】
図４は、管理端末９の表示部９ａにおける表示例を示す。表示部９ａには、例えば、集合住宅名の他、ヘルプコール発生の記録が表示される。記録欄の最上段には、最新のヘルプコールが文字をブリンクして表示されている。ヘルプコールへの対処が行われた後、ヘルプコールの原因を入力しようとしている状況を示す。原因欄に入力が済むと、ヘルプコールへの対処が完了して、最上段におけるブリンクが停止する。
【００２２】
図５を参照して宅内装置２によって行われる撮影動作について説明する。宅内装置２のカメラ２１による画像撮影は、少なくとも、次の３種類が可能である。
【００２３】
（１）リモート撮影：サーバ装置４を経由して送信されるユーザ端末３からの指示による随時撮影である。遠隔地にいるユーザが宅内の様子を確認したいとき、ユーザ端末３を用いて所定のホームページから自宅の宅内装置２のカメラ２１や共有スペースのカメラ２１に対して、サーバ装置４経由で撮影コマンドを送信して撮影する。撮像結果は、サーバ装置４ヘ登録され、その画像に帰属するユーザ端末３によって閲覧が可能となる。サーバ装置４ヘの登録と同時に撮像完了通知メールがユーザ端末３に送信される。
【００２４】
（２）センサ撮影：宅内に配置されたセンサの反応をきっかけとして行う撮影である。宅内装置２のセンサスイッチがオン状態である場合、センサを横切る人物や物に対してセンサが反応して自動的に撮像される。撮像結果はサーバ装置４へ登録され、上記同様、閲覧が可能となる。サーバ装置４ヘの登録と同時に侵入者通報メールが利用者に送信される。
【００２５】
（３）予約撮影：事前の予約設定による撮影である。利用者によって設定された時刻や間隔時間で宅内装置２が自動撮像し、撮像結果はサーバ装置４ヘ登録され上記同様、閲覧が可能となる。サーバ装置４ヘの登録と同時に撮像済メールが利用者に配信される。
【００２６】
ユーザは、ユーザ端末３のブラウザ画面を操作して、上述により撮影された画像を閲覧した結果、侵入者、ケガ人、病人、火災、その他の緊急事態を認識すると、警報発声コマンド又はヘルプコールコマンドを発動する。サーバ装置４は、ユーザ端末３からこれらのコマンドを受信すると、これらのコマンドを他のコマンドに優先して処理する。（１）警報発声コマンドの場合、当該コマンドを発したユーザ端末３に帰属する宅内装置２に、警報発声装置２２による一定時間の警報発声を行わせる。また、（２）ヘルプコールコマンドの場合、前述のように（図２）、予め設定されたヘルプコール対象とされるユーザ端末にヘルプ依頼送信を行うとともに、管理端末９にヘルプコール発動の通知を行ってこれを表示部９ａに表示させる（図４）。
【００２７】
図６を参照して、上述の近隣ユーザの駆けつけを機能させる小集団に基づく組織について説明する。（小集団）本システム１におけるユーザは、集合住宅の居住者であり、組織としての最小集団である近隣利用者の集まりからなる小集団に帰属する。小集団は、例えば、防犯委員をリーダとする。（階集団）各小集団は同一集合住宅内の同一棟内の同一階内の小集団の集まりからなる階集団を構成する。（棟集団）各階集団は同一集合住宅内の同一棟内の階集団の集まりからなる棟集団を構成する。（地域集団）各棟集団は同一集合住宅内の棟集団の集まりに集合され地域集団を形成する。
【００２８】
本システム１を利用するユーザは、図７に示すように、／集合住宅番号／棟集団番号／階集団番号／小集団番号／個宅番号／、などの番号を用いて帰属する組織の階層構造に基づいて構成した帰属コード（利用者識別番号）で識別される。同様に、共有スペース内に設置された宅内装置２も、帰属コードで識別される。ユーザ従ってユーザ端末３は、一軒に１つとは限らないため、必要に応じてＡＢＣ・・等の記号を付加して識別される。
【００２９】
本システム１は、個人宅内を撮像し個人で見守りをするだけでなく、集合住宅の特性を生かし、共有スペースの見守りと、近隣住民と集合住宅管理人に対するヘルプコール機能を有し、家族と住まいの見守りができるシステムである。自宅内や共有スペースの撮像画像により問題の発生が認識された場合に、集合住宅の管理人および隣人にヘルプコールを依頼できる。本システム１は、地域社会の安全性向上によって個人の安全性向上を目指す小集団を基礎にした集合住宅型遠隔見守りシステムである。
【００３０】
本システム１の効果として次の点が挙げられる。（１）在宅家族の様子を遠隔地にいる利用者が携帯端末等で確認できる。（２）留守宅への家族の帰宅や不信者の侵入があると、センサーによる自動撮像により遠隔地にいる利用者にメールで知らせ撮像画像の確認ができる。（３）家族が共有スペースにいるかどうかを確認できる。（４）撮像によって自宅に問題発生が確認できたが、しかし、利用者がすぐに自宅へ駆け付けできないような遠隔地にいる場合、管理人や隣人にヘルプコールを依頼できる。（５）隣人が相互にヘルプコールを依頼したり、またされたりすることによって、地域社会と個人の安全性が同時に高まり、小集団の親密度も増す。（６）管理人室のパソコン上にヘルプコールの状態表示を「ヘルプコール表示板」として常にすることによって、ヘルプコールの見逃しがなくなる。（７）駆け付けを警備会社へ依頼する場合に比べて、早期に現場へ到着でき、費用も必要としない。
【００３１】
個人の力は小さく、個人的に家族や住まいの安全に取り組んでも限界がある。地域社会の安全性が高まらない限り、個人の安全性も高まらない。集合住宅型遠隔見守りシステム１は、隣人小集団によるヘルプコールを実現し、地域と個人の安全性を同時に高めようとするものである。また、個人のヘルプコール必要性、個人のプライバシ意識、個人のおかれた環境などには差があり、その差を吸収できるシステム構成が必要である。
【００３２】
図８は、本システム１のユーザが、小集団の中で選択する団員種別を示す。本システム１をどのように用いて、どのように小集団に参加するかによって、例えば、３項目についてそれぞれ参加不参加の形態があり、計算上８種類の団員種別が設定される。項目１は、ヘルプコールの発動と管理端末９の表示部への表示をするかしないかである。プライバシを知られたくない、また、逆に、止むに止まれずヘルプコールを発動しなければならない、など個人によって判断理由はまちまちと思われる。
【００３３】
項目２は、ヘルプコールの受信をするかしないかである。ヘルプコールを受けても、近所に居なければ役立たない、などの判断理由が考えられる。項目３は、共有スペースの画像取得と閲覧である。家族が共有スペースを利用する機会が少なければ、画像閲覧は特に必要ではないと考えられる。本システム１において団員種別の設定に、以上の３項目を示したが、この種別に限られず、集合住宅のおかれた環境や状況によってこの種別の設定を適宜定めることができる。
【００３４】
管理端末９、ヘルプコール表示、及びヘルプコールの統計について説明する。管理人専用のパソコンが管理端末９として用いられ、その表示部９ａには常にヘルプコール、又はヘルプコール履歴が表示されている。そこで、当該集合住宅の利用者からヘルプコールが発動されると、ヘルプコールメールのメール配信と同時に表示部９ａにヘルプコールの発生を、表示文字のブリンクと警報音声とにより表示する。集合住宅の管理人は、ヘルプコールに対して原因確認と問題対処の後、原因コードを入力する。原因コードが入力されると、ヘルプコールが解除される。すなわち、原因コードの入力は、ヘルプコールの解除を兼ねている（図４）。
【００３５】
ヘルプコールは、発生住宅名、発生年月日、時刻、棟、階、個宅、氏名、さらに原因が累積記録される。そこで、これらのデータを統計処理し、分析することで、原因別、場所別などの傾向を把握して、安全対策や防犯対策に反映して対策を講じることができる。このような解析例を、図９、図１０に示す。なお、本発明は、上記構成に限られることなく種々の変形が可能である。
【図面の簡単な説明】
【００３６】
【図１】本発明の一実施形態に係る集合住宅型遠隔見守りシステムの概略構成図。
【図２】同上システムにおけるヘルプコール機能の概念説明図。
【図３】同上システムにおける遠隔見守り処理のフロー図。
【図４】同上システムにおける管理端末の表示部の図。
【図５】同上システムにおける撮像種別と画像の利用形態の説明図。
【図６】同上システムにおけるユーザの集団構成説明図。
【図７】同上システムにおけるユーザの帰属分類説明図。
【図８】同上システムにおける集団構成員の種別構成図。
【図９】同上システムにおけるヘルプコール統計処理の説明図。
【図１０】同上システムにおけるヘルプコール統計処理の説明図。
【符号の説明】
【００３７】
１    集合住宅型遠隔見守りシステム
２    宅内装置
３    ユーザ端末
４    サーバ装置
７    インターネット
９    管理端末
２１    カメラ
９ａ    表示部
【図１】
2006039778.tif 000003
【図２】
2006039778.tif 000004
【図３】
2006039778.tif 000005
【図４】
2006039778.tif 000006
【図５】
2006039778.tif 000007
【図６】
2006039778.tif 000008
【図７】
2006039778.tif 000009
【図８】
2006039778.tif 000010
【図９】
2006039778.tif 000011
【図１０】
2006039778.tif 000012